(57)【要約】      （修正有）【課題】防液槽相互の正常な積み重ね状態を保持する。【解決手段】各種機器またはタンクを載置する槽体の側壁に、槽体に載置された各種機器またはタンク周りに生じる槽体の開口部を開閉可能に塞ぐ蓋体を槽体の各辺に備えた防液槽Ａにおいて、槽体に、積み重ねられる槽体１相互の積み重ね状態を保持する保持手段３を備えたことである。保持手段は、槽体相互の積み重ね状態を保持するものであればよいが、槽体相互の保持作業を容易に行うという観点から、たとえば、保持手段は、槽体の外側底部に、槽体の開口部に嵌合する嵌合突起を、開口部の上側内周縁部に接触または近接するように設ける。【選択図】図２
0003104766.tif 000002
【実用新案登録請求の範囲】
【請求項１】
各種機器またはタンクを載置する槽体の側壁に、槽体に載置された各種機器またはタンク周りに生じる槽体の開口部を開閉可能に塞ぐ蓋体を槽体の各辺に備えた防液槽において、
槽体に、積み重ねられる槽体相互の積み重ね状態を保持する保持手段が備えられていることを特徴とする防液槽。
【請求項２】
保持手段は、槽体の外側底部に、槽体の開口部に嵌合する嵌合突起を、開口部の上側内周縁部に接触または近接するように設けていることを特徴とする請求項１に記載の防液槽。
【請求項３】
槽体の開口部の上側内周縁部を槽体の内側へ延長して、当該延長部分を前記嵌合突起の外側に位置する槽体の外側底部縁が載置される載置面としていることを特徴とする請求項２に記載の防液槽。
【請求項４】
前記各辺の隣り合う蓋体の端部のいずれか一方に防水カバーを設け、蓋体を閉じた際に前記防水カバーを他方の防水カバーが設けられていない蓋体の内側に位置させることを特徴とする請求項１ないし請求項３いずれか１項に記載の防液槽。
【考案の詳細な説明】
【技術分野】
【０００１】
本考案は、発電機または油や薬液等のタンクから漏液する液体の流出を防止するための防液槽に関する。
【背景技術】
【０００２】
各種機器またはタンクを載置する槽体の側壁に、槽体に載置された各種機器またはタンク周りに生じる槽体の開口部を、開閉可能に塞ぐ蓋体を槽体の各辺に備えた防液槽は、本願出願人が既に出願したものがある。（たとえば、特許文献１参照）
【特許文献１】実用新案登録第３０９４６１６（図１及び図２）
【考案の開示】
【考案が解決しようとする課題】
【０００３】
ところで、例示した防液槽の運搬時や収納時においては、防液槽相互を重ねて積み重ねるが、正常に積み重ねた状態を保持する構造が無いので、重ねて積み重ねた際において防液槽相互がずれやすいものであった。
【０００４】
そこで本発明は、防液槽相互の正常な積み重ね状態を保持することを課題とし、その課題を解決する防液槽の提供を目的とする。
【課題を解決するための手段】
【０００５】
上記目的を達成するために本考案が採用した技術的手段は、各種機器またはタンクを載置する槽体の側壁に、槽体に載置された各種機器またはタンク周りに生じる槽体の開口部を開閉可能に塞ぐ蓋体を槽体の各辺に備えた防液槽において、槽体に、積み重ねられる槽体相互の積み重ね状態を保持する保持手段を備えたことである（請求項１）。
【０００６】
前記保持手段は、槽体相互の積み重ね状態を保持するものであればよいが、槽体相互の保持作業を容易に行うという観点から、たとえば、保持手段は、槽体の外側底部に、槽体の開口部に嵌合する嵌合突起を、開口部の上側内周縁部に接触または近接するように設ける（請求項２）ことが好ましい。
さらに、槽体相互の保持作業を容易に行い、その上で、槽体相互の保持をより確実に行うという観点から、槽体の開口部の上側内周縁部を槽体の内側へ延長して、当該延長部分を前記嵌合突起の外側に位置する槽体の外側底部が載置される載置面とする（請求項３）ことが好ましい。
【０００７】
また、防水性をより確実に行うという観点から、前記各辺の隣り合う蓋体の端部いずれか一方に防水カバーを設け、蓋体を閉じた際に前記防水カバーを他方の防水カバーが設けられていない蓋体の内側に位置させることが好ましい。
【考案の効果】
【０００８】
本考案は、以上の構成により下記の効果が期待できる。
請求項１に考案によれば、積み重ねられた防液槽相互は、保持手段によって正常な積み重ね状態を保持することができる。
また、請求項２の考案によれば、防液槽を相互に積み重ねることにより、嵌合突起が開口部の上側内周縁部に接触又は近接して開口部に嵌合するので、正常な積み重ね状態を容易に行うことができる。
さらに、請求項３の考案によれば、防液槽の積み重ね時に、嵌合突起が開口部に嵌合されるとともに、嵌合突起の外側に位置する槽体の外側底部が載置面に載置されるので、正常な積み重ね状態をより確実に保持することができる。
また、請求項４の考案によれば、防水性の確実性が向上する。
【考案を実施するための最良の形態】
【０００９】
以下、本発明の実施の形態を図面に基づいて説明する。
なお、本実施例では、各種機器のうち液化燃料で作動する発電機を載置するタイプの防液槽を例示する。
本実施例の防液槽Ａは、発電機Ｂを載置する槽体１と、槽体１に載置された発電機Ｂの周りに生じる槽体１の開口部１２を開閉可能に塞ぐ蓋体２と、槽体１相互を積み重ねる際に正常な積み重ね状態を保持する保持手段３とを備えている。
【００１０】
槽体１は、平面視において発電機Ｂの平面形状と相似形であり、発電機Ｂを中央部に載置したときに生じる発電機Ｂ周りの開口部１２の幅が、四辺共に同幅になるようにしてある。
また、槽体１の上側外周縁部１３には蓋体２を軸支してある。
符号１０は、槽体１内の液体を放出するための開閉バルブである。
また、符号１１は、防液槽Ａを吊り下げるためのフックであり、符号１１Ａは、発電機Ｂを載せるための基台である。
【００１１】
蓋体２は、槽体１の四辺夫々に、前記上側外周縁部１３に対してヒンジ４を介して内外方向に回動可能に設けられている。
蓋体２の形状は、閉状態において、蓋体２の先端縁部２１が発電機Ｂの側面Ｂ１に接触するとともに、各蓋体２の隣り合う側端縁部２２相互が近接または接触し、さらに、外側へ向かって下向き傾斜するような大きさを有する略台形状である。
隣り合う蓋体２の一方の蓋体２（図面上短手側の蓋体）の先端縁部２１と左右の側端縁部２２には、パッキング３が装着されており、このパッキング３が、発電機Ｂの側面Ｂ１に対する先端縁部２１の接触および各蓋体２の隣り合う側端縁部２２相互の接触における密着性を高めている。
また、隣り合う蓋体２の他方の蓋体２（図面上長手側の蓋体）の先端縁部２１には、前記と同様に作用するパッキングＰが装着され、左右の側端縁部２２には、シート状の防水カバーＰ１が固着されており、この防水カバーＰ１が、各蓋体２の閉じ状態時において、短手側の蓋体２の下側に位置するとともに、その蓋体２の側端縁部２２で挟むことによって、前記パッキングＰの密着による防水性を高めている。
パッキングＰ及び防水カバーＰ１は、ゴム材や軟質の合成樹脂材からなるものである。このような蓋体２とすることによって、蓋体２が前記開口部１２の全域を塞ぐとともに、その前記傾斜によって蓋体２表面の水分を速やかに流し落とすので、外部からの槽体１への水分の流入を大きく抑制することができる。
【００１２】
保持手段３は、槽体１の外側底部１６に突設された嵌合突起３１と、槽体１における開口部１２の上側内周縁部１４を槽体１の内側、かつ水平方向に延長することで形成された載置面３２とから構成されている。
嵌合突起３１は、槽体１を積み重ねる際に、積み重ねられる槽体１の開口部１２に嵌合するものである。（図２参照）
嵌合突起３１は、開口部１２の上側内周縁部１４に近接するように、開口部１２の平面面積よりもやや小さい平面面積として設けられており、この嵌合突起３１が上側内周縁部１４に接触することによって槽体１相互のずれが抑制される。
また、前記構成の嵌合突起３１は、地面への載置時における台座としても機能する。
載置面３２は、前記嵌合突起３１が開口部１２に嵌合された状態において、嵌合突起３１の外側に位置する槽体１の外側底部１６が載置されるようにしている。
【００１３】
以下、前記構成の槽体１の積み重ね方法を説明すると、まず、最下部となる槽体１を、すべての蓋部２を開状態として地面に載置する。
そして、前記最下部となる槽体１に次の槽体１を重ねる際に、当該積み重ねる槽体１のすべての蓋部２を開状態とし、嵌合突起３１を最下部となる槽体１の開口部１２に嵌合することによって正常な積み重ね状態が保持される。
前記したような槽体１の積み重ねを３段目以降同様にすることによって多段状の積み重ね状態を正常に保持することができる。  
【００１４】
なお、本考案は例示した実施例に限定されるものではなく、実用新案登録請求の範囲された内容から逸脱しない範囲で他の構成による実施が可能である。
【図面の簡単な説明】
【００１５】
【図１】本発明に係る防液槽の斜視図で発電機を載置した状態を示す。
【図２】防液槽を積み重ねた状態を示す図１の（２）−（２）断面図。
【図３】防液槽の平面図。
【符号の説明】
【００１６】
Ａ：防液槽
Ｂ：発電機（各種機器の一例）
１：槽体
１２：開口部
１４：上側内周縁部
１６：外側底部
２：蓋体
３：保持手段
３１：嵌合突起
３２：載置面
Ｐ１：防水カバー
【図１】
0003104766.tif 000003
【図２】
0003104766.tif 000004
【図３】
0003104766.tif 000005